【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
少なくとも一つのアンテナ電気放射器素子及び給電素子を有する金属層と、
上面及び底面を有し、前記金属層が上部に形成された第１の薄いキャリア誘電体層と、
上面及び底面を有する発泡体コア層であり、前記第１の薄いキャリア誘電体層が該発泡体コア層の同じ表面積を有する前記上面及び前記キャリア誘電体層の前記底面に形成され、
前記発泡体コア層の前記底面に形成され、金属接地層に接合されている接着層と、
を備える複数の層を有するアンテナアレイ。
【請求項２】
前記金属層が前記第１の薄いキャリア誘電体層に接着接合されている請求項１に記載のアンテナアレイ。
【請求項３】
前記第１の薄いキャリア誘電体層が前記発泡体コア層に接着接合されている請求項１に記載のアンテナアレイ。
【請求項４】
前記金属接地層が薄い金属層である請求項１に記載のアンテナアレイ。
【請求項５】
前記アンテナ各層を覆うとともに該アンテナ各層を支える非導電性レードームカバーを更に備えている請求項４に記載のアンテナアレイ。
【請求項６】
前記アンテナ各層が相互に接着接合されている請求項１に記載のアンテナアレイ。
【請求項７】
前記アンテナ各層を覆うレードームカバー構造を更に備えている請求項１に記載のアンテナアレイ。
【請求項８】
前記複数のアンテナ各層の少なくとも一部が曲面の接地層上に形成されている請求項１に記載のアンテナアレイ。
【請求項９】
前記複数のアンテナ各層の各々が前記曲面の接地層に適合した可撓性材料で形成されている請求項８に記載のアンテナアレイ。
【請求項１０】
前記発泡体コア層が前記曲面の接地層に適合した曲面形状に形成されている請求項８に記載のアンテナアレイ。
【請求項１１】
前記金属接地層が前記アンテナアレイを構造的に支持する電導性トレイでもある請求項１に記載のアンテナアレイ。
【請求項１２】
前記金属接地層が可撓性である請求項１に記載のアンテナアレイ。
【請求項１３】
少なくとも一つのアンテナ電気放射器素子及び給電素子を有する金属層と、
該金属層が上部に形成された第１の薄いキャリア誘電体層と、
上面及び底面を有する発泡体コア層であり、該上面に前記第１の薄いキャリア誘電体層が形成された発泡体コア層と、
前記発泡体コア層の前記底面に形成され、金属接地層に接合されている接着層と、
前記金属層上に形成され、該金属層内の対応する放射器素子と電気的に結合される少なくとも一つの無給電放射器素子が上面に形成された少なくとも第２の誘電体層と、
を備える複数の層を有するアンテナアレイ。
【請求項１４】
第２の薄いキャリア誘電体層の上面に形成された前記複数の無給電放射器素子を少なくともさらに含み、前記第２の薄いキャリア誘電体層が前記第２の誘電体層上に形成されている請求項１３に記載のアンテナアレイ。
【請求項１５】
前記各層が互いに接着接合されている請求項１３に記載のアンテナアレイ。
【請求項１６】
前記アンテナ各層を覆うレードームカバー構造を更に備えている請求項１３に記載のアンテナアレイ。
【請求項１７】
前記金属接地層が薄い金属接地層である請求項１３に記載のアンテナアレイ。
【請求項１８】
前記アンテナ各層を覆い且つ該アンテナ各層を支える非導電性レードームカバー構造を更に備えている請求項１７に記載のアンテナアレイ。
【請求項１９】
前記複数のアンテナ各層の少なくとも一部が曲面の接地層上に形成されている請求項１３に記載のアンテナアレイ。
【請求項２０】
前記複数のアンテナ各層の各々が前記曲面の接地層に適合する可撓性材料で形成されている請求項１９に記載のアンテナアレイ。
【請求項２１】
前記発泡体コア層が前記曲面の接地層に適合するように曲面形状に形成されている請求項１９に記載のアンテナアレイ。
【請求項２２】
前記金属接地層が実質的に硬質の支持金属層である請求項１３に記載のアンテナアレイ。
【請求項２３】
少なくとも一つのアンテナ電気放射器素子及び給電素子を有する金属層と、
該金属層が上部に形成された第１の薄いキャリア誘電体層と、
上面及び底面を有し、該上面に前記第１の薄いキャリア誘電体層が形成された発泡体コア層と、
前記金属層上に形成された少なくとも第２の誘電体層と、
第２の誘電体層の上面に形成された少なくとも一つの無給電素子と、
を備えている複数の層を有するアンテナアレイであって、
前記少なくとも一つの無給電放射器素子が前記金属層内の対応する少なくとも一つの放射器素子と電気的に結合され、前記第２の薄いキャリア誘電体層が前記第２の誘電体層上に形成され、これらの層が互いに接合して積層体を形成し、該積層体の前記発泡体コア層の底面に接着層が形成され、該接着層により前記積層体が金属接地層に接合されているアンテナアレイ。
【請求項２４】
前記アンテナ各層を覆うレードームカバー構造を更に備えている請求項２３に記載のアンテナアレイ。
【請求項２５】
前記金属接地層が薄い金属層である請求項２３に記載のアンテナアレイ。
【請求項２６】
前記アンテナ各層を覆い且つ支える非導電性のレードームカバー構造を更に備えている請求項２５に記載のアンテナアレイ。
【請求項２７】
前記複数のアンテナ各層の少なくとも一部が曲面の接地層上に形成されている請求項２３に記載のアンテナアレイ。
【請求項２８】
前記複数のアンテナ各層の各々が前記曲面の接地層に適合する可撓性材料で形成されている請求項２７に記載のアンテナアレイ。
【請求項２９】
前記発泡体コア層が前記曲面の接地層に適合する曲面形状に形成されている請求項２７に記載のアンテナアレイ。
【請求項３０】
前記金属接地層が実質的に硬質の支持金属層である請求項２３に記載のアンテナアレイ。
【請求項３１】
上面及び底面を有する発泡体コア層を形成するステップと、
上面及び底面を有する第１の薄いキャリア誘電体層上に金属層を接合し、かつ前記第１の薄いキャリア誘電体層を前記発泡体コア層の前記上面に接合するステップであり、前記発泡体コア層の前記上面と前記第１の薄いキャリア誘電体層とが同じ表面積を有するステップと、
前記発泡体コア層の前記底面上に接着層を設けるステップと、
前記金属層内に少なくとも一つの放射器素子及び給電素子をエッチングして形成するステップと、
金属接地層を形成し、前記接着層を前記発泡体コア層、前記第１の薄いキャリア誘電体層及び前記金属層とともに前記金属接地層に接合するステップと、
を含むアンテナアレイの製造方法。
【請求項３２】
前記アンテナ各層をレードームカバーで覆うステップを更に含む請求項３１に記載の方法。
【請求項３３】
前記金属接地層を薄い金属層で形成するステップを更に含む請求項３１に記載の方法。
【請求項３４】
前記アンテナ各層を支える非導電性レードームカバー構造を形成し、該レードームカバー構造で前記アンテナ各層を覆い支える請求項３３に記載の方法。
【請求項３５】
曲面の接地層上に前記複数のアンテナ各層の少なくとも一部を形成するステップを含む請求項３１に記載の方法。
【請求項３６】
前記複数のアンテナ各層の各々を可撓性材料で形成し、前記アンテナ各層を前記曲面の接地層に合わせるステップを含む請求項３５に記載の方法。
【請求項３７】
前記発泡体コア層を前記曲面の接地層に合わせた曲面形状に形成するステップを含む請求項３５に記載の方法。
【請求項３８】
前記金属接地層を前記アンテナ各層に対して実質的に硬質の支持金属層で形成するステップを含む請求項３１に記載の方法。
【請求項３９】
上面及び底面を有する発泡体コア層を形成するステップと、
第１の薄いキャリア誘電体層上に金属層を接合し、かつ該第１の薄いキャリア誘電体層を前記発泡体コア層の前記表面に接合するステップと、
前記発泡体コア層の前記底面上に接着層を設けるステップと、
前記金属層内に少なくとも一つの放射器素子及び給電素子をエッチングして形成するステップと、
金属接地層を形成し、前記接着層を前記発泡体コア層、前記第１の薄いキャリア誘電体層及び前記金属層とともに前記金属接地層に接合するステップと、
少なくとも第２の誘電体層を前記金属層上に接合するステップと、
前記第２の誘電体層の上面に、前記金属層に形成された少なくとも一つの対応する放射器素子と結合する少なくとも一つの無給電放射器素子を形成するステップと、
を含むアンテナアレイの製造方法。
【請求項４０】
前記少なくとも一つの無給電放射器素子を第２の薄いキャリア誘電体層の上面に形成し、該第２の薄いキャリア誘電体層を前記第２の誘電体層に接合するステップを更に含む請求項３９に記載の方法。
【請求項４１】
前記アンテナ各層をレードームカバー構造で覆うステップを更に含む請求項３９に記載の方法。
【請求項４２】
前記複数のアンテナ各層の少なくとも一部を曲面の接地層に形成するステップを含む請求項３９に記載の方法。
【請求項４３】
前記複数のアンテナ各層の各々を可撓性材料で形成し、前記曲面の接地層に該アンテナ各層を合わせるステップを含む請求項４２に記載の方法。
【請求項４４】
前記発泡体コア層を前記曲面の接地層に合わせて曲面形状に形成するステップを含む請求項４２に記載の方法。
【請求項４５】
前記金属接地層を前記アンテナ層に対して実質的に硬質の支持金属層で形成するステップを含む請求項３９に記載の方法。
【請求項４６】
上面及び底面を有する発泡体コア層を形成するステップと、
第１の薄いキャリア誘電体層上に金属層を接合し該第１の薄いキャリア誘電体層を前記発泡体コア層の前記上面に接合するステップと、
前記発泡体コア層の前記底面に接着層を設けるステップと、
前記金属層内に少なくとも一つの放射器素子及び給電素子をエッチングして形成するステップと、
金属接地層を形成し、前記接着層を前記発泡体コア層、前記第１の薄いキャリア誘電体層及び前記金属層とともに前記金属接地層に接合するステップと、
少なくとも第２の誘電体層を前記金属層の放射器素子及び給電素子上に接合するステップと、
前記第２の誘電体層の上面に少なくとも一つの無給電放射器素子を形成するステップと、
を含むアンテナアレイの製造方法。
【請求項４７】
前記アンテナ各層をレードームカバーで覆うステップを更に含む請求項４６に記載の方法。
【請求項４８】
前記金属接地層を薄い金属層で形成するステップを更に含む請求項４６に記載の方法。
【請求項４９】
非導電性レードームカバー構造を形成し、該レードームカバー構造で前記アンテナ各層を支えて覆うステップを更に含む請求項４６に記載の方法。
【請求項５０】
前記複数のアンテナ各層の少なくとも一部を曲面の接地層の上に形成するステップを含む請求項４６に記載の方法。
【請求項５１】
前記複数のアンテナ各層の各々を可撓性材料で形成し、該アンテナ各層を前記曲面の接地層に合わせるステップを含む請求項５０に記載の方法。
【請求項５２】
前記発泡体コア層を前記曲面の接地層に合わせて曲面形状に形成するステップを含む請求項５０に記載の方法。
【請求項５３】
前記金属接地層を前記アンテナ層に対して実質上硬質の支持金属層で形成するステップを含む請求項４６に記載の方法。